(57)【要約】【課題】送信設備の小型低廉化が可能となり、品質の良いＡＭラジオ放送波信号の伝送を可能とするＡＭラジオ放送波帯信号変換伝送方法および該方法に用いるＡＭラジオ放送波帯信号変換伝送装置を提供する。【解決手段】屋内有線放送設備において、ＡＭラジオ放送波を屋内有線放送設備で伝送可能な信号に変換して伝送し、屋内有線放送線路から複数個所に分岐した後、受信装置にてＡＭラジオ放送波に復調し、復調されたＡＭラジオ放送波を、受信装置に内蔵したＡＭラジオ受信機で音声に復調して出力することを特徴とする。【選択図】図１
2016208480.tif 000002
【特許請求の範囲】
【請求項１】
屋内有線放送設備において、ＡＭラジオ放送波を屋内有線放送設備で伝送可能な信号に変換して伝送し、屋内有線放送線路から複数個所に分岐した後、受信装置にてＡＭラジオ放送波に復調し、復調されたＡＭラジオ放送波を、受信装置に内蔵したＡＭラジオ受信機で音声に復調して出力することを特徴とするＡＭラジオ放送波帯信号変換伝送方法。
【請求項２】
ＡＭラジオ放送波を信号変換する方法として、ＡＭラジオ放送波帯内に存在する複数のラジオ放送波信号を、一括して屋内有線放送設備で伝送可能な信号に変換して伝送することを特徴とする請求項１記載のＡＭラジオ放送波帯信号変換伝送方法。
【請求項３】
受信装置は、屋内有線放送線路に重畳される複数のＦＭ変調放送波等と、新しく重畳されたＡＭラジオ放送波帯信号を１台の受信機で復調し音声出力することを特徴とする請求項１記載のＡＭラジオ放送波帯信号変換伝送方法。
【請求項４】
ＡＭ放送波帯信号を屋内有線放送設備にて伝送可能な信号に変換する送信装置において、ＡＭラジオ放送波は信号強度の変化が大きく、空間からの受信信号が強い場合は歪を発生するために、受信されたＡＭラジオ放送波信号を一定の強さに維持する自動利得調整手段を有する事を特徴とする請求項１記載のＡＭラジオ放送波帯信号変換伝送方法。
【請求項５】
複数のＡＭラジオ放送波を空間から受信する場合、ＡＭ放送波毎に信号強度が異なることから、１個の受信アンテナでは各放送波の受信強度が異なり、信号変換する場合に生じる不都合を解消するために、各放送波に合わせて複数のアンテナを配置して個別に受信増幅したのち信号強度をそろえてから信号変換することを特徴とする請求項１記載のＡＭラジオ放送波帯信号変換伝送方法。
【請求項６】
複数のＡＭラジオ放送波受信アンテナで受信されたＡＭラジオ放送波を増幅するための個別増幅器と、該増幅器にて増幅された信号を合成するための合成器と、ＡＭラジオ放送波帯内の信号のみを抽出するための濾波器と、濾波後の信号レベルを調整するための減衰器と、減衰後の信号を一定レベルへ増幅するための自動利得調整増幅器と、ＡＭラジオ放送波帯信号を屋内有線放送設備で伝送可能な周波数に変換するための変調用キャリア信号を発生するキャリア信号発振器と、ＡＭラジオ放送波帯信号を振幅変調するための振幅変調器と、変調キャリア信号の一部を取り出して、変調後の信号に加算するための合成器と、前記振幅変調器の変調により生じる目的以外の信号を減衰させるための濾波器と、濾波後の信号レベルを調整するための可変減衰器と、該可変減衰器通過後の信号を増幅するための増幅器とを有して、以上の構成よりなる送信部を設け、屋内有線放送用伝送線路から分岐された信号を二分するための分配器と、二分された信号の一方からＡＭラジオ放送波帯信号を選択するための濾波器と、濾波後の信号レベルを一定になるよう増幅するための自動利得調整増幅器と、増幅後の信号を二分するための分配器と、該分配器にて二分された信号の一方から復調用のキャリアを選択するためのキャリア濾波器と該キャリア濾波器にて濾波された信号を増幅するためのキャリア増幅器と、該分配器にて二分された他方の信号の振幅を復調するための振幅復調器と、前記キャリア増幅器にて増幅された信号を二分するための分配器と、該分配器にて二分された信号の一方を前記振幅復調器へ戻すとともに、分配された他方の信号を検波するための検波器と、該検波器にて検波した信号を前記の自動利得調整増幅器内の可変利得増幅器へと戻し、一方、最初の濾波器にて濾波された信号および振幅復調器からの信号を音声出力するためのＦＭ／ＡＭ受信機とを有して、以上の構成よりなる受信部を設け、以上の送信部と受信部から構成したことを特徴とするＡＭラジオ放送波帯信号変換伝送装置。
【発明の詳細な説明】
【技術分野】
【０００１】  この発明は、ＡＭラジオ放送波帯信号を別な無線周波数に信号変換して伝送し、受信側では元のＡＭラジオ放送帯信号に復調してＡＭラジオ受信機にて音声出力するＡＭラジオ放送波の伝送方法および該方法に用いるＡＭラジオ放送波帯信号変換伝送装置に関する
【背景技術】
【０００２】  従来より、屋内設置の有線放送設備は、ＦＭラジオ放送やＴＶ放送等を重畳して伝送し、複数個所に分岐して共聴するシステムとして利用するものであり、本発明にて示すように、ＡＭラジオ放送波帯信号を別な無線周波数に信号変換して伝送し、受信側では元のＡＭラジオ放送帯信号に復調してＡＭラジオ受信機にて音声出力するＡＭラジオ放送波の伝送方法および装置は見当たらない。
【発明の概要】
【発明が解決しようとする課題】
【０００３】  既述のように、従来の屋内設置の有線放送設備は、ＦＭラジオ放送やＴＶ放送等を重畳して伝送し、複数個所に分岐して共聴するシステムとして利用されているが、設備構築上の制限から、ＡＭラジオ放送波を直接伝送できない設備があり、ＡＭラジオ放送波を音声に復調した後、ＦＭ放送周波数帯の周波数でＦＭ変調し、もしくはＴＶ放送用の音声信号に変調して伝送し、ＦＭ受信機もしくはＴＶ受信機等により音声に復調して出力する方法がある。
しかし、この方法では屋内有線放送送信設備として、ＡＭラジオ放送波毎に個別のＡＭラジオ放送波受信機と、ＦＭ変調器もしくはＴＶ放送音声用変調器が必要となり、設備費が大きくなる課題がある。また、個別放送波を音声復調した後、別な周波数で再度変調して伝送することにより変復調歪が加算され音声信号歪が増加する欠点がある。
本発明は以上に鑑み、ＡＭラジオ放送波帯信号を別な無線周波数に信号変換して伝送し、受信側では元のＡＭラジオ放送帯信号に復調してＡＭラジオ受信機にて音声出力するＡＭラジオ放送波の伝送方法および装置であり、新規かつ有用なる手段を提供するものである。
【課題を解決するための手段】
【０００４】  本発明は、複数のＡＭラジオ放送波信号を個別に伝送するのではなく、ＡＭラジオ放送波帯内に存在する放送波を一括して、屋内有線放送設備で伝送可能な周波数に信号変換して伝送、分岐して各受信箇所に設置された受信装置で、元のＡＭラジオ放送波帯信号に復調し、ＡＭラジオ受信機にて必要なＡＭラジオ放送波を選択して音声信号に復調するものである。
すなわち、本発明の一つは、屋内有線放送設備において、ＡＭラジオ放送波を屋内有線放送設備で伝送可能な信号に変換して伝送し、屋内有線放送線路から複数個所に分岐した後、受信装置にてＡＭラジオ放送波に復調し、復調されたＡＭラジオ放送波を、受信装置に内蔵したＡＭラジオ受信機で音声に復調して出力することを特徴とするＡＭラジオ放送波帯信号変換伝送方法であり、他の一つは上記方法を実現するためのＡＭラジオ放送波帯信号変換伝送装置である。
【発明の効果】
【０００５】  本発明では１台の送信装置で、ＡＭラジオ放送波帯内に配置されている複数のＡＭラジオ放送波のすべてを伝送することが可能となり、設備費の大幅な低減が可能となる。
さらに、ＡＭラジオ放送波を音声復調せずにラジオ放送波の状態で信号変換して伝送することにより、変復調による歪の加算が少ないので、品質の良いＡＭラジオ放送波信号の伝送が可能となる。また、ＡＭラジオ放送波を一波毎に信号変換して伝送するのではなく、ＡＭラジオ放送波帯内に存在する複数の放送波を一括して伝送することで、送信設備の小型化が図れることとなり、受信部では通常のＡＭラジオ放送波と同一の周波数にて受信することが可能となる。
【図面の簡単な説明】
【０００６】
【図１】  本発明の各部機器配置接続説明図（送信部）
【図２】  本発明の通過信号変化説明図（送信部）
【図３】  本発明の各部機器配置接続説明図（受信部）
【図４】  本発明の通過信号変化説明図（受信部）
【図５】  本発明の他例における各部機器配置接続説明図（送信部）
【図６】  本発明の他例における通過信号変化説明図（送信部）
【図７】  本発明の他例における各部機器配置接続説明図（受信部）
【図８】  本発明の他例における通過信号変化説明図（受信部）
【図９】  従来例における各部機器配置接続説明図（送信部）
【図１０】  従来例における通過信号変化説明図（送信部）
【図１１】  従来例における各部機器配置接続説明図（受信部）
【図１２】  従来例における通過信号変化説明図（受信部）
【発明を実施するための最良の形態】
【０００７】  以下、本発明の実施形態について説明する。
この発明の実施形態を、図１および図２に示す。図１ではＡＭラジオ放送帯信号を変換する方法として、振幅変調方式を採用した形態で、複数のＡＭラジオ放送波受信アンテナで受信されたＡＭラジオ放送波を、個別増幅器１で増幅し合成器２で合成する。
各ＡＭラジオ放送波受信アンテナで受信されるＡＭラジオ放送波は、それぞれの放送局からの伝搬条件により受信信号の強度が異なるため、各個別増幅器の利得を調整し、信号強度をそろえる。
ＡＭラジオ放送波受信アンテナには、目的のＡＭラジオ放送波以外にも種々の都市雑音や干渉電波も受信されてしまうので、ＡＭラジオ放送波帯内の信号のみをＡＭラジオ帯の濾波器３にて選択し、減衰器４により、必要な信号レベルに調整する。
ＡＭラジオ放送波は、昼夜、気象条件などで電界が変動する性質があるので、自動利得調整増幅器５で一定のレベルになるように増幅し、振幅変調器８への過大人力による信号歪の発生を防止する。６はＡＭラジオ放送波帯信号を屋内有線放送設備で伝送可能な周波数に変換するための変調用キャリア信号を発生する発振器で、このキャリア信号を使って８の振幅変調器でＡＭラジオ放送波帯信号を振幅変調する。【０００８】  ８の振幅変調器には歪の少ないダブルバランス・ミクサーを使うので、変調後の信号ではキャリア信号成分が抑圧されている。７の分配器で変調キャリア信号の一部を取り出し９の合成器で変調後の信号に加算することで、受信側の復調器で必要となる復調用キャリアの再生を容易としている。
１０は濾波器で、８の振幅変調器の変調により生じる目的以外の信号を減衰させるもので、屋内有線放送設備に重畳されている他の伝送信号への妨害を抑止する。
その後、１１の可変減衰器でレベルを調整後、１２の増幅器で増幅して出力する。【０００９】  図３は実施形態の受信部の構成図である。屋内有線放送用伝送線路から分岐された信号は２０の分配器で二分配され、ＡＭラジオ放送波帯信号は２１ａの濾波器で選択し、２２の自動利得調整増幅器でレベルが一定になるように増幅後、二分配し、一方の信号は２４の振幅復調器で振幅復調し、元のＡＭラジオ放送波帯信号に復調されて、２５のＦＭ／ＡＭ受信機にＡＭ放送波信号として入力し、複数のＡＭ放送波の中から一波を選択後、復調により音声にて出力する。
分配器２３で分配された他方の信号は狭帯域のキャリア濾波器２６によりキャリア信号のみを取り出し、キャリア増幅器２７にて増幅後、分配器２８で二分配し、一方は復調用キャリアとし、他方は検波器２９で直流として２２の自動利得調整増幅器の利得制御信号とする。２０の分配器で分配されたもう一方の信号は２１ｂの濾波器でＦＭ放送波信号を選択し、２５のＦＭ／ＡＭ受信機に入力し、複数のＦＭ放送波信号のうち１波を選択しＦＭ復調した後音声出力する。【００１０】  図５以降は、他の実施形態を示すものである。図５は送信部で、図１における１〜５までの動作（図５における縦点線以前）は前記実施形態と同様である。自動利得調整増幅器から出力されたＡＭラジオ放送波帯信号は、３０の周波数変調器により、屋内有線放送設備で伝送可能な周波数に周波数変調された信号に変換し、３１の濾波器で必要な信号のみ取り出し、３２の可変減衰器でレベルを調整し３３の増幅器で増幅し出力する。
図７は他の実施形態における受信部（縦点線以前は初例受信部と同じである）で、屋内有線放送設備から分岐された信号は２０の分配器で二分配する。分配された信号は２１の濾波器により、ＡＭラジオ放送波帯信号で周波数変調された信号のみを選択し、３３の増幅器で増幅し３４のＦＭ復調器で元のＡＭラジオ放送波帯信号に復調され、３５のＦＭ／ＡＭ受信機にＡＭラジオ放送波として入力して、複数のＡＭラジオ放送波から１．波を選択し音声復調して出力する。分配器で分配したもう一方の信号は、２１の濾波器でＦＭ放送波のみを選択し、３５のＦＭ／ＡＭ受信機へＦＭ放送波として入力し複数のＦＭ放送波から一波を選択しＦＭ復調後、音声で出力する。【００１１】  図９は、従来技術によるＡＭ放送波送信部で、増幅器４０でアンテナからの複数のＡＭ放送波信号を増幅し、４１の混合器により４２の可変発振器からの信号と混合し、差分信号の一波のみを４３のＡＭラジオ帯濾波器で取り出して可変利得増幅器４４で増幅し、４５の検波器で音声信号に復調する。復調した音声信号を、４６のＦＭ変調器でＦＭ変調し、４７の濾波器で必要な信号のみ選択して、４８の可変減衰器でレベルを調整後４９の増幅器で増幅して出力する。図１１が従来技術による受信部で、屋内有線放送設備から分岐した信号を５０のＦＭ受信機で選択しＦＭ復調して音声出力する。
以上説明したように、本発明によって送信設備の小型低廉化が可能となり、品質の良いＡＭラジオ放送波信号の伝送を可能とする有用なる手段を得ることができる。
【符号の説明】
【００１２】  １    個別増幅器
２    合成器
３    濾波器
４    減衰器
５    自動利得調整増幅器
６    キャリア信号発振器
７    分配器
８    振幅変調器
９    合成器
１０  濾波器
１１  可変減衰器
１２  増幅器
２０  分配器
２１ａ  濾波器
２１ｂ  濾波器
２２  自動利得調整増幅器
２３  分配器
２４  振幅復調器
２５  ＦＭ／ＡＭ受信機
２６  キャリア濾波器
２７  キャリア増幅器
２８  分配器
２９  検波器
３０  周波数変調器
３１  濾波器
３２  可変減衰器
３３  増幅器
３４  ＦＭ復調器
３５  ＦＭ／ＡＭ受信機
４０  増幅器
４１  混合器
４２  可変発振器
４３  ＡＭラジオ帯濾波器
４４  可変利得増幅器
４５  検波器
４６  ＦＭ変調器
４７  濾波器
４８  可変減衰器
４９  増幅器
５０  ＦＭ／ＡＭ受信機
ａ〜ｖ  本発明における各信号提示位置
イ〜チ  従来例における各信号提示位置
【図１】
2016208480.tif 000003
【図２】
2016208480.tif 000004
【図３】
2016208480.tif 000005
【図４】
2016208480.tif 000006
【図５】
2016208480.tif 000007
【図６】
2016208480.tif 000008
【図７】
2016208480.tif 000009
【図８】
2016208480.tif 000010
【図９】
2016208480.tif 000011
【図１０】
2016208480.tif 000012
【図１１】
2016208480.tif 000013
【図１２】
2016208480.tif 000014